(57)【要約】【課題】表面に情報表示および相互作用機能を備える可動装置を提供する。【解決手段】表皮ユニット１１が可動本体１０表面に貼設されることによってケーシングに情報を表示することができ、ソフトウェアの制御によって外皮の色、図案または文字情報を随時変化させることができる。可撓性ディスプレイ１１０には更にタッチセンサユニット１１２を設置することができ、入力される相互作用信号を感知できる。可動本体１０には環境センサまたは情報識別装置を整合でき、有線または無線の技術によって環境情報、文字情報または画像音声情報の判断を入力信号とし、複数の入力信号と出力表現信号とを整合して可動本体１０の相互作用性を高めることができる。【選択図】  図１
2008149442.tif 000002
【特許請求の範囲】
【請求項１】
単一動作または組み合わせた動作を行う可動本体と、
前記可動本体の外部表面または一部表面に選択的に敷設され、可撓性ディスプレイを備えて情報を表示する表皮ユニットと、
前記表皮ユニット上に設置され、接触強弱および接触位置を測定するタッチセンサユニットと、
前記可動本体の単一動作または組み合わせた動作を制御し、前記タッチセンサユニットが生成した信号に基づき、前記表皮ユニットを制御し、状況に基づいて相互作用情報および相互作用効果を表示する制御ユニットと
を備えることを特徴とする表面に情報表示および相互作用機能を備える可動装置。
【請求項２】
前記タッチセンサユニットは、単点のタッチセンサ、多点のタッチセンサまたはアレイ式に配列したタッチセンサであり、接触強弱および接触位置を測定でき、接触強弱情報および位置情報を前記制御ユニットに伝達し、制御装置にロジック判断の依拠を提供することを特徴とする請求項１記載の表面に情報表示および相互作用機能を備える可動装置。
【請求項３】
前記タッチセンサは、圧電式のタッチセンサ、電気抵抗式のタッチセンサ、コンデンサ式のタッチセンサまたは弾性体であり、接触強弱および接触位置を感知し、信号を出力することを特徴とする請求項２記載の表面に情報表示および相互作用機能を備える可動装置。
【請求項４】
前記タッチセンサは、複数の柔軟なガスバッグが設置されたセンサであり、ガスバッグ内が押圧による圧力変化を受けることによって接触圧力の測定を行い、同時に接触時の柔軟性を提供し、その後、接触強弱およびセンサ位置の情報を前記制御ユニットに伝達し、制御ユニットにロジック判断の依拠を提供することを特徴とする請求項２記載の表面に情報表示および相互作用機能を備える可動装置。
【請求項５】
単一動作または組み合わせた動作を行う可動本体と、
前記可動本体の外部表面または一部表面に選択的に敷設され、可撓性ディスプレイを備えて情報を表示する表皮ユニットと、
可動装置外部の操作環境の状況を感知し、感知信号を生成する環境センサと、
前記可動本体の単一動作または組み合わせた動作を制御し、前記タッチセンサユニットが生成した信号に基づき、前記表皮ユニットを制御し、状況に基づいて相互作用情報および四肢動作の相互作用効果を表示する制御ユニットと
を備えることを特徴とする表面に情報表示および相互作用機能を備える可動装置。
【請求項６】
前記環境センサは、環境の温度変化、環境の音声、環境の色の変化、環境の空気成分、環境の振動変化またはそれらを組み合わせたものを選択的に感知することを特徴とする請求項５記載の表面に情報表示および相互作用機能を備える可動装置。
【請求項７】
前記環境センサは、入力インターフェイスを備え、使用者の生理信号入力、使用者の心情変化の信号またはそれらを組み合わせたものの信号の入力を受信することを特徴とする請求項５記載の表面に情報表示および相互作用機能を備える可動装置。
【請求項８】
単一動作または組み合わせた動作を行う可動本体と、
前記可動本体の外部表面または一部表面に選択的に敷設され、可撓性ディスプレイを備えて情報を表示する表皮ユニットと、
電子データ情報を受信し、判断解析を行い、解析結果の信号を生成して制御装置に与える情報識別装置と、
前記可動本体の単一動作または組み合わせた動作を制御し、前記タッチセンサユニットが生成した信号に基づき、前記表皮ユニットを制御し、状況に基づいて相互作用情報および四肢動作の相互作用効果を表示する制御ユニットと
を備えることを特徴とする表面に情報表示および相互作用機能を備える可動装置。
【請求項９】
前記可動本体は、動作表現能力を備えた複数の部材が組み合わさった機械であり、前記機械は、工業ロボットアーム、移動式ロボット、相互作用ロボット、案内ロボット、ガードマンロボット、介護ロボット、教育ロボットまたは娯楽用ロボットなどであることを特徴とする請求項１、５または８記載の表面に情報表示および相互作用機能を備える可動装置。
【請求項１０】
前記可動本体は、動作表現能力を備えた玩具、動作表現能力を備えた携帯式電子製品、動作表現能力を備えた曲面を備えた看板または動作表現能力を備えた演技器具であることを特徴とする請求項１、５または８記載の表面に情報表示および相互作用機能を備える可動装置。
【請求項１１】
前記可撓性ディスプレイは、グレイスケールまたはカラー表現能力を備え、可撓性電子ディスプレイまたは可撓性電子ペーパであることを特徴とする請求項１、５または８記載の表面に情報表示および相互作用機能を備える可動装置。
【請求項１２】
前記相互作用情報は、色、図案または文字などの情報であり、前記図案は二次元の平面図または三次元の立体図であることを特徴とする請求項１、５または８記載の表面に情報表示および相互作用機能を備える可動装置。
【請求項１３】
前記情報識別装置は、文字情報の解析および判断を行い、前記文字情報分類の結果または意味を前記解析結果の信号とすることを特徴とする請求項８記載の表面に情報表示および相互作用機能を備える可動装置。
【請求項１４】
前記情報識別装置は、ボイス情報の解析および分類判断を行い、特定の語彙または音声を取得し、結果を特定の分類特性とし、前記解析結果の信号とすることを特徴とする請求項８記載の表面に情報表示および相互作用機能を備える可動装置。
【請求項１５】
前記情報識別装置は、静態または動態の画像または図案情報の解析および分類判断を行い、特定画像の識別結果を取得し、前記解析結果の信号とすることを特徴とする請求項８記載の表面に情報表示および相互作用機能を備える可動装置。
【発明の詳細な説明】
【技術分野】
【０００１】
本発明は、相互作用機能を備えるロボット等の可動装置に関し、特に、表皮ユニットが動作表現能力を備える可動本体（moving-object）の表面に貼設され、表面に相互作用メッセージを表示でき、可動本体には更に、環境センサまたは情報識別装置を整合でき、有線および無線技術を通じて環境情報、文字情報または画像音声情報の判断を入力信号とし、複数の入力信号と出力表現信号とを整合することができ、相互作用性を強化した表面に情報表示および相互作用機能を備える可動装置に関する。
【背景技術】
【０００２】
各種相互作用型のロボット等の可動本体は、日常生活への応用が進むに連れて、人とロボットとの相互作用および娯楽性も相対して重要な機能となっている。しかし、光信号、モニタまたは擬似生物の表情または動作機構以外の機械の外観の大部分を占めるケーシングの表面部分は未だ十分に利用されていない部位である。
【０００３】
一般に機械のケーシングの機能は、遮蔽、保護およびデザインが基本機能とされ、ロボットの身体表面を使用して情報を表示したり、人間と相互作用させたりすることは少ない。
従来技術として、特許文献１では全面モニタ付きロボットが開示されており、その表面にはモニタが貼設され、ロボットのケーシングに機能を備えるが、この技術においては人間との相互作用機構、技術または表皮の図案または色の変化によってロボットの状態、皮膚の色または表情を反映させる技術は開示されていない。この技術の表面に貼設される表示装置の目的は二つある。その１は、360°どの方向においても必要なモニタリング情報を得ることができる点であり、その２は、表面に貼設された表示装置が逆投射技術によってロボットの表面に保護色を生成してロボットをカモフラージュできる点である。
従って、この技術においてはロボットの表面に情報を表示して人間と相互作用させることはできない。その他の技術として特許文献２において開示されたロボットは、モニタが設置されているが、平面のモニタであり、デザインに制限があり、情報表示機能しか備えない。
【０００４】
相互作用機能に関しては、特許文献３においてはロボットの目、眉機構が開示され、相互作用機能を備えるが、この技術では機械動作によって相互作用的な表情を表示するのみであり、機構および制御が複雑であるという問題を有する。
【０００５】
上述のことから分かるように、表示機能および相互作用機能を備えた装置によって従来技術における欠点を解決することが望まれていた。
【特許文献１】特開２００５‐６６７６６号(JP)
【特許文献２】特開２００６‐０２６７６１号(JP)
【特許文献３】特開２００３‐２６５８６９号(JP)
【発明の開示】
【発明が解決しようとする課題】
【０００６】
本発明の第１の目的は、可撓性ディスプレイの可撓性をロボットのケーシング表皮に応用し、可動本体またはロボットに様々な表情や図案を表示させ、可動本体またはロボットの人間との相互作用性を強化させ、生命のないロボットに更に多くの表現および反応をする能力を与える表面に情報表示および相互作用機能を備える可動装置を提供することにある。
本発明の第２の目的は、可撓性ディスプレイの可撓性および薄くて軽い特性を利用することによって容易にタッチセンサと整合でき、人間とロボットとの相互作用およびヒューマンマシンインターフェイスを達成する表面に情報表示および相互作用機能を備える可動装置を提供することにある。
本発明の第３の目的は、環境センサまたは情報識別装置と整合し、有線および無線の技術によって環境情報、文字情報または画像音声情報の判断を入力信号とし、複数の入力信号と出力表現信号とを整合し、可動本体の相互作用性を強化させる表面に情報表示および相互作用機能を備える可動装置を提供することにある。
本発明の第４の目的は、複数の可動装置をネットワーク通信の環境の下、相互にコミュニケーションを行わせ、各可動装置に多様な情報の認知判断を整合させ、主動的な知覚的相互作用入力を行い、相互作用の結果の行為状態をケーシングの表面に表示し、相互作用性を強化させる表面に情報表示および相互作用機能を備える可動装置を提供することにある。
【課題を解決するための手段】
【０００７】
上述の目的を解決するために、本発明は表面に情報表示および相互作用機能を備える可動装置を提供するものであり、単一動作または組み合わせた動作を行うことができる可動本体と、可動本体の外部表面または一部表面に選択的に敷設でき、可撓性ディスプレイを備えて情報を表示できる表皮ユニットと、可動本体上に設置され、各種知覚を解読した信号を受信できる知覚入力ユニットと、可動本体上に設置され、可動本体の単一動作または組み合わせた動作を制御でき、知覚入力ユニットが生成した信号に基づき、表皮ユニットを制御し、状況に基づいて相互作用情報および相互作用効果を表示する制御ユニットとを備える。
本発明は更に表面に情報表示および相互作用機能を備える可動装置を提供するものであり、単一動作または組み合わせた動作を行うことができる可動本体と、可動本体の外部表面または一部表面に選択的に敷設でき、可撓性ディスプレイを備えて情報を表示できる表皮ユニットと、可動装置外部の操作環境の状況を感知して感知信号を生成できる環境センサと、可動本体上に設置され、可動本体の単一動作または組み合わせた動作を制御でき、操作環境の信号に基づき、表皮ユニットを制御し、状況に基づいて相互作用情報および四肢動作の相互作用効果を表示する制御ユニットとを備える。
本発明は更に表面に情報表示および相互作用機能を備える可動装置を提供するものであり、単一動作または組み合わせた動作を行うことができる可動本体と、可動本体の外部表面または一部表面に選択的に敷設でき、可撓性ディスプレイを備えて情報を表示できる表皮ユニットと、電子データ情報を受信し、判断分析を行って解析結果である信号を制御装置に与える情報識別装置と、可動本体上に設置され、可動本体の単一動作または組み合わせた動作を制御でき、解析結果の信号に基づき、表皮ユニットを制御し、状況に基づいて相互作用情報および四肢動作の相互作用効果を表示する制御ユニットとを備える。
【０００８】
すなわち。請求項１の発明は、単一動作または組み合わせた動作を行う可動本体と、前記可動本体の外部表面または一部表面に選択的に敷設され、可撓性ディスプレイを備えて情報を表示する表皮ユニットと、前記表皮ユニット上に設置され、接触強弱および接触位置を測定するタッチセンサユニットと、前記可動本体の単一動作または組み合わせた動作を制御し、前記タッチセンサユニットが生成した信号に基づき、前記表皮ユニットを制御し、状況に基づいて相互作用情報および相互作用効果を表示する制御ユニットとを備えることを特徴とする表面に情報表示および相互作用機能を備える可動装置である。
【０００９】
請求項２の発明は、前記タッチセンサユニットは、単点のタッチセンサ、多点のタッチセンサまたはアレイ式に配列したタッチセンサであり、接触強弱および接触位置を測定でき、接触強弱情報および位置情報を前記制御ユニットに伝達し、制御装置にロジック判断の依拠を提供することを特徴とする請求項１記載の表面に情報表示および相互作用機能を備える可動装置である。
請求項３の発明は、前記タッチセンサは、圧電式のタッチセンサ、電気抵抗式のタッチセンサ、コンデンサ式のタッチセンサまたは弾性体であり、接触強弱および接触位置を感知し、信号を出力することを特徴とする請求項２記載の表面に情報表示および相互作用機能を備える可動装置である。
請求項４の発明は、前記タッチセンサは、複数の柔軟なガスバッグが設置されたセンサであり、ガスバッグ内が押圧による圧力変化を受けることによって接触圧力の測定を行い、同時に接触時の柔軟性を提供し、その後、接触強弱およびセンサ位置の情報を前記制御ユニットに伝達し、制御ユニットにロジック判断の依拠を提供することを特徴とする請求項２記載の表面に情報表示および相互作用機能を備える可動装置である。
請求項５の発明は、単一動作または組み合わせた動作を行う可動本体と、前記可動本体の外部表面または一部表面に選択的に敷設され、可撓性ディスプレイを備えて情報を表示する表皮ユニットと、可動装置外部の操作環境の状況を感知し、感知信号を生成する環境センサと、前記可動本体の単一動作または組み合わせた動作を制御し、前記タッチセンサユニットが生成した信号に基づき、前記表皮ユニットを制御し、状況に基づいて相互作用情報および四肢動作の相互作用効果を表示する制御ユニットとを備えることを特徴とする表面に情報表示および相互作用機能を備える可動装置である。
請求項６の発明は、前記環境センサは、環境の温度変化、環境の音声、環境の色の変化、環境の空気成分、環境の振動変化またはそれらを組み合わせたものを選択的に感知することを特徴とする請求項５記載の表面に情報表示および相互作用機能を備える可動装置である。
請求項７の発明は、前記環境センサは、入力インターフェイスを備え、使用者の生理信号入力、使用者の心情変化の信号またはそれらを組み合わせたものの信号の入力を受信することを特徴とする請求項５記載の表面に情報表示および相互作用機能を備える可動装置である。
【００１０】
請求項８の発明は、単一動作または組み合わせた動作を行う可動本体と、前記可動本体の外部表面または一部表面に選択的に敷設され、可撓性ディスプレイを備えて情報を表示する表皮ユニットと、電子データ情報を受信し、判断解析を行い、解析結果の信号を生成して制御装置に与える情報識別装置と、前記可動本体の単一動作または組み合わせた動作を制御し、前記タッチセンサユニットが生成した信号に基づき、前記表皮ユニットを制御し、状況に基づいて相互作用情報および四肢動作の相互作用効果を表示する制御ユニットとを備えることを特徴とする表面に情報表示および相互作用機能を備える可動装置である。
請求項９の発明は、前記可動本体は、動作表現能力を備えた複数の部材が組み合わさった機械であり、前記機械は、工業ロボットアーム、移動式ロボット、相互作用ロボット、案内ロボット、ガードマンロボット、介護ロボット、教育ロボットまたは娯楽用ロボットなどであることを特徴とする請求項１、５または８記載の表面に情報表示および相互作用機能を備える可動装置である。
請求項１０の発明は、前記可動本体は、動作表現能力を備えた玩具、動作表現能力を備えた携帯式電子製品、動作表現能力を備えた曲面を備えた看板または動作表現能力を備えた演技器具であることを特徴とする請求項１、５または８記載の表面に情報表示および相互作用機能を備える可動装置である。
請求項１１の発明は、前記可撓性ディスプレイは、グレイスケールまたはカラー表現能力を備え、可撓性電子ディスプレイまたは可撓性電子ペーパであることを特徴とする請求項１、５または８記載の表面に情報表示および相互作用機能を備える可動装置である。
請求項１２の発明は、前記相互作用情報は、色、図案または文字などの情報であり、前記図案は二次元の平面図または三次元の立体図であることを特徴とする請求項１、５または８記載の表面に情報表示および相互作用機能を備える可動装置である。
請求項１３の発明は、前記情報識別装置は、文字情報の解析および判断を行い、前記文字情報分類の結果または意味を前記解析結果の信号とすることを特徴とする請求項８記載の表面に情報表示および相互作用機能を備える可動装置である。
請求項１４の発明は、前記情報識別装置は、ボイス情報の解析および分類判断を行い、特定の語彙または音声を取得し、結果を特定の分類特性とし、前記解析結果の信号とすることを特徴とする請求項８記載の表面に情報表示および相互作用機能を備える可動装置である。
請求項１５の発明は、前記情報識別装置は、静態または動態の画像または図案情報の解析および分類判断を行い、特定画像の識別結果を取得し、前記解析結果の信号とすることを特徴とする請求項８記載の表面に情報表示および相互作用機能を備える可動装置である。
【発明の効果】
【００１１】
本発明によれば、表皮ユニットが可動本体表面に貼設されることによってケーシングに情報を表示することができ、ソフトウェアの制御によって外皮の色、図案または文字情報を随時変化させることができる。また、可撓性ディスプレイには更にタッチセンサユニットを設置することができ、入力される相互作用信号を感知できる。更に、可動本体には環境センサまたは情報識別装置を整合でき、有線または無線の技術によって環境情報、文字情報または画像音声情報の判断を入力信号とし、複数の入力信号と出力表現信号とを整合して可動本体の相互作用性を高めることができる。
その結果、生命のないロボットに更に多くの表現および反応をする能力を与えることが可能となる。
【発明を実施するための最良の形態】
【００１２】
本発明の特徴、目的および機能を更に明白にするために、本発明の装置の詳細な構造および設計理念の好適な実施例を図面を参照して説明する。
【００１３】
図１は、本発明の表面に情報表示および相互作用機能を備える可動装置の実施例を示す斜視図である。
可動装置１は、可動本体１０（moving object）、知覚入力ユニット１４および制御ユニット（図示せず）を備える。可動本体１０は動作表現能力を備えた複数の身体部材が組み合わさった機械であり、単一動作または組み合わせた動作を行うものである。この機械は、工業ロボットアーム、移動式ロボット、相互作用ロボット、案内ロボット、ガードマンロボット、介護ロボット、教育ロボットまたは娯楽用ロボットなどである。この他、可動本体は動作表現能力を備えた玩具、動作表現能力を備えた携帯式電子製品、動作表現能力を備えた曲面を備えた看板または動作表現能力を備えた演技器具などを採用することができる。
【００１４】
可動本体１０の表面または一部表面には表皮ユニット１１が貼設され、主に、可撓性ディスプレイから構成され、種々の情報を表示する。この可撓性ディスプレイは有機ＥＬによって形成された可撓性ディスプレイまたは可撓性電子ペーパなどであり、軽くて薄く、可撓性を備えたディスプレイであるがそれだけに制限されない。可撓性ディスプレイが表示する相互作用情報は色、図案または文字などの情報であるがそれだけに制限されない。図案は二次元の平面または三次元の立体の図案である。
【００１５】
図２は、本発明の実施例の表面に、情報表示および相互作用機能を備える可動装置の表皮ユニットの断面図である。図２において、可撓性電子ディスプレイ１１０の可撓性および薄いという特性によって、表皮ユニット１１と可動本体１０との間は(背)糊剤１１１またはその他粘着固定方式によって密着するように固定される。
このように、可撓性ディスプレイ１１０を可動本体１０のケーシングの平坦面または曲面表面に設置した後、可撓性電子ディスプレイ１１０上に更に知覚入力ユニット１４が貼設される。なお、可撓性ディスプレイである可撓性電子ディスプレイ１１０が情報を表示する表皮ユニット１１は、必要に応じて、可動本体１０の外部表面または一部表面に選択的に敷設される。
本実施例において、知覚入力ユニット１４は更にタッチセンサユニット１１２を備え、タッチ操作によって生成されたタッチ制御信号を受信することができる。タッチセンサユニット１１２の表面には保護膜１１３を設置でき、表皮ユニット１１全体を保護する。タッチセンサユニット１１２によってタッチ位置の感知を行うことができ、更に、可動本体１０またはロボットの表面に色、図案または文字の情報などを生成することができる。その他、タッチ位置感知能力を備えたタッチセンサユニット１１２によって可動装置１と周囲の環境との相互作用性を強化することができる。
【００１６】
タッチセンサユニット１１２はタッチパネルシートとすることができ、タッチパネルシートは電気抵抗式、コンデンサ式、音波式、光学式または電磁感応式とすることができ、タッチ位置信号をタッチ信号に変換することができる。また、タッチセンサユニット１１２はタッチセンサアレイとすることができ、接触の強弱および接触位置信号を測定することができ、強弱情報を制御ユニットに送信して判断を行い、接触位置を制御ユニット内に記録し、制御装置にロジック判断の依拠を提供する。タッチセンサアレイは単点機械式のＯＮ／ＯＦＦ二段式強弱スイッチまたは多点式のスプリングスイッチとすることができる。それ以外に、タッチセンサアレイは圧電式タッチセンサ、コンデンサ式タッチセンサまたは弾性体とすることができ、タッチ強弱を感知し、タッチ制御信号を出力する。前述のタッチセンサは全て従来技術を直接応用することができ、これ以上の説明は行わない。
【００１７】
図３は、本発明の表面に、情報表示および相互作用機能を備える可動装置のタッチセンサユニットの実施例を示す模式図である。タッチセンサユニット１１２は複数の配列されたタッチセンサ１１２０を備え、接触の圧力状況を測定し、タッチ強弱および位置データを制御ユニットに伝達し、制御ユニットにロジック判断の依拠を提供する。
【００１８】
図４は、本発明の表面に、情報表示および相互作用機能を備える可動装置のタッチセンサユニットのその他実施例を示す模式図である。タッチセンサ１１２ａは複数の柔軟なガスバッグ１１２１が設置されたセンサとすることができ、ガスバッグ１１２１によって押圧されたときの圧力変化を測定でき、同時に接触時の柔軟性を提供でき、接触強弱および位置情報を制御ユニット１３に伝達し、制御ユニット１３にロジック判断の依拠を提供する。ガスバッグ１１２１は管路１１２２によって気圧提供装置１１２３と接続され、管路１１２２上には圧力センサ１１２４が設けられ、ガスバッグ１１２１が受けた圧力および位置データを感知し、制御ユニット１３に信号を伝達することができる。
【００１９】
図５は、本発明の表面に情報表示および相互作用機能を備える可動装置の制御ユニットの実施例を示すブロック図である。この制御ユニット１３は可動本体１０(図１、図２参照)上に設置され、制御ユニット１３は可動本体１０の単一動作または組み合わせた動作を制御でき、表皮ユニット１１の状況に応じた相互作用情報の表示を制御でき、制御ユニット１３はタッチセンサユニットが生成するタッチ感知信号、その他のセンサが測定した入力信号および通信コミュニケーション信号を受信して相互作用効果を生成することができる。
【００２０】
本実施例において、制御ユニット１３は、プロセッサ１３０、表示インターフェイス１３１、センサインターフェイス１３２、命令出力制御インターフェイス１３４およびＩ／Ｏインターフェイス１３３を備える。表示インターフェイス１３１は表皮ユニット１１の可撓性ディスプレイ１１０と接続され、センサインターフェイス１３２は表皮ユニット１１のタッチセンサユニット１１２と接続される。プロセッサ１３０は信号の実行および演算処理を行うことによって表皮ユニット１１の関連した相互作用情報の表示を制御する。プロセッサ１３０は制御信号を生成でき、命令出力制御インターフェイス１３４および駆動回路素子１００を通じて可動本体上の関連するアクチュエータ１０１に伝達し、可動本体の相互作用効果を備えた動作を制御する。メモリ１３５を通じてデータ保存またはデータの一時保存が行われる。
【００２１】
図６は、本発明の実施例の表面に情報表示および相互作用機能を備える可動装置の顔面表情を示す模式図である。図７は本発明の表面に情報表示および相互作用機能を備える可動装置の実施状態を示す斜視図である。表皮ユニット１１上のタッチセンサユニットが操作人員のタッチ動作を感知したとき、制御ユニットは表皮ユニット上のタッチセンサユニットのタッチ強弱および位置に基づいて対応する動作の判断をしたり、または可撓性ディスプレイに生物の皮膚に類似した柔軟性を達成させ、皮膚の色または図案の変化を表示させたりする。タッチセンサユニットはヒューマンマシンインターフェイスとすることができ、本発明において更に重要なのは、人間型ロボット相互作用インターフェイスである。
【００２２】
図６に示すように、例えば、操作人員が表皮ユニット上のタッチセンサユニットに触れたとき、可動本体上の顔部上の表皮ユニットは喜怒哀楽または赤面などの表情を表示することができる。また、可動本体が玩具のとき、使用者はタッチ操作制御によって玩具の色または衣装の変更を随時行うことができ、娯楽性を増強できる。図７に示すように、可動装置１がサービスロボットの場合、ロボットの可動本体の身体部分を礼服にすることができ、顔部の表情もサービスの状況に合わせて変更することができ、人間性のあるサービスを行うことができる。
【００２３】
図８は、本発明の表面に情報表示および相互作用機能を備える可動装置の知覚入力ユニットのその他の実施例を示すブロック図である。知覚入力ユニット１４はＩ／Ｏインターフェイス１３３を通じて制御ユニット１３と接続され、図９に示すように、知覚入力ユニット１４は可動本体１０上に設置される。図８に示すように、知覚入力ユニット１４は環境センサ１４０および情報識別装置１４１を備える。環境センサ１４０は外部環境の状況を感知して感知信号を生成して制御ユニット１３に与え、制御ユニット１３は感知信号に基づいて表皮ユニット１１を制御し、状況に基づいて相互作用情報および相互作用効果を表示する。
【００２４】
環境センサ１４０は環境の温度変化、環境の音声、環境の色の変化、環境の空気成分、環境の振動変化またはそれらを組み合わせたものを感知できる。例えば、環境センサ１４０は気温を感知でき、温度が低いとき、身体部分の表皮ユニットが厚い服を表示して気温が低いことを知らせ、顔面の表情も寒そうな表情を表示する。また、図９に示すように、環境センサ１４０は入力インターフェイスを備え、生理信号の入力、使用者の神経に伝達される電子信号、使用者の心情変化の信号またはそれらを組み合わせた信号入力を受信することができる。例えば、使用者が生理信号の入力を感知できるアームバンド１４０２またはセンサマット１４０１をセットしたとき、可動装置１は使用者の生理状態、緊張または怒りを知ることができ、相互作用動作または表皮ユニットを通じて対応する色または図案によって使用者を慰めたり、励ましたりして使用者の心情を調節する。図９においては無線方式によって伝送が行われているが、当然図１０に示すように、有線方式を採用することもできる。
【００２５】
知覚入力ユニット１４が情報識別装置１４１のとき、情報識別装置１４１は入力情報を受信し、判断解析を行い、解析信号を生成して制御ユニット１３に与え、制御ユニット１３は解析信号に基づいて表皮ユニット１１を制御して状況に基づいて相互作用情報および相互作用効果を表示する。情報識別装置１４１はネットワークから入力情報を取得することができる。入力情報は、文字情報、ボイス情報、画像情報またはそれらを組み合わせたものとすることができ、例えば、環境路面高低変化、環境路面幅変化、環境画像、ボイス入力信号、回答の語句指令などである。入力情報が文字情報の場合、情報識別装置は文字情報の解析および分類判断を行い、文字情報分類の結果から解析信号を形成する。入力情報がボイス情報の場合、情報識別装置はボイス情報の解析および分類判断を行うことができ、特定の語彙または音声を取得し、結果を特定の分類特性とし、解析信号を形成する。また、入力情報が画像情報の場合、情報識別装置は静態または動態の画像情報の解析および分類判断を行い、特定画像の認識結果を取得し、解析信号を形成する。
【００２６】
図１１は、本発明の表面に情報表示および相互作用機能を備える可動装置の実施状態のその他の実施例を示す模式図である。可動装置１はネットワーク環境９０（有線または無線）を通じて入力プラットフォーム４０〜４３と接続することができる。可動装置上にはアンテナモジュール１５が設けられ、無線環境の下、情報交流および伝送が行われる。入力プラットフォームはコンピュータ、ワークステーション、携帯電話またはパーソナルデジタル装置などである。入力プラットフォーム４０〜４３はネットワーク環境９０を通じて文字、音声または画像などの情報を可動装置に伝送し、可動装置は情報の内容に基づいて可動装置の身体に相互作用動作を行わせたり、表皮ユニットに相互作用情報を表示したりすることができる。
【００２７】
図１２は本発明の表面に情報表示および相互作用機能を備える可動装置群を示す図であり、複数の可動装置から構成される。各可動装置５は可動本体を備え、各可動本体は単一動作または組み合わせた動作を行い、各可動本体はコミュニケーション信号によって相互にコミュニケーションを行うことができる。本実施例において、可動装置５は動物ロボットであり、動物ロボットの表面には表皮ユニット５０が敷設される。表皮ユニット５０の構造は前述のものと同一であるので説明は行わない。可動本体内には制御ユニットが設けられ、可動本体の単一動作または組み合わせた動作を制御し、コミュニケーション信号の解析および判断を行って可動本体とその他の可動本体とを相互作用させる。制御ユニットの構造は図５に示すものと同一であるので説明は行わない。
【００２８】
図１２において、複数の可動装置５間で相互作用させたり、または操作人員と相互作用をさせたりし、有線または無線の信号伝達によって、相互間における入力の信号変化を伝達し、表皮ユニット５０上の可撓性ディスプレイに内部状態の情報を表示する。複数の可動装置はネットワーク環境９０の下、相互にコミュニケーションを行うことができる。各可動装置も同様に前述のタッチセンサユニット、環境センサおよび情報識別装置を備え、多様化情報データを整合して認知判断を行い、主動的な知覚相互作用入力とし、複数の可動本体にそれぞれ自己の状態を表現させ、ケーシング全体に表示して全体の相互作用性を強化できる。
【００２９】
以上の説明は、本発明の好適な実施例を示すものであり、本発明の範囲を制限するものではない。即ち、本発明の特許申請の範囲に基づく変化および修飾は全て本発明の範囲に含まれ、例えば、本発明の知覚入力ユニットはタッチパネルシート、複数のタッチセンサ、環境センサおよび情報識別装置などとすることができ、相互作用的にコミュニケーションされる情報交流を行うことができる。
【００３０】
以上の説明から分かるように、本発明は表面に情報表示および相互作用機能を備える可動装置を提供するものであり、可動本体と人間との相互作用性を提供でき、無生物であるロボットに更に多くの表現および状態の反応を行わせる能力を与えることができる。本発明は業界の要求を満足させることができるものであり、産業の発展に大きく寄与するものである。
【図面の簡単な説明】
【００３１】
【図１】本発明の表面に情報表示および相互作用機能を備える可動装置の実施例を示す斜視図である。
【図２】本発明の表面に情報表示および相互作用機能を備える可動装置の表皮ユニットを示す断面図である。
【図３】本発明の表面に情報表示および相互作用機能を備える可動装置のタッチセンサユニットの実施例を示す模式図である。
【図４】本発明の表面に情報表示および相互作用機能を備える可動装置のタッチセンサユニットのその他実施例を示す模式図である。
【図５】本発明の表面に情報表示および相互作用機能を備える可動装置の制御ユニットの実施例を示すブロック図である。
【図６】本発明の表面に情報表示および相互作用機能を備える可動装置の顔面表情を示す模式図である。
【図７】本発明の表面に情報表示および相互作用機能を備える可動装置の実施例を示す斜視図である。
【図８】本発明の表面に情報表示および相互作用機能を備える可動装置の知覚入力ユニットのその他の実施例を示すブロック図である。
【図９】本発明の表面に情報表示および相互作用機能を備える可動装置の実施例を示す斜視図である。
【図１０】本発明の表面に情報表示および相互作用機能を備える可動装置の実施例を示す斜視図である。
【図１１】本発明の表面に情報表示および相互作用機能を備える可動装置の実施状態のその他の実施例を示す模式図である。
【図１２】本発明の表面に情報表示および相互作用機能を備える可動装置群を示す図である。
【符号の説明】
【００３２】
１      可動装置
１０    可動本体
１００  駆動回路素子
１０１  アクチュエータ
１１、１１ａ  表皮ユニット
１１０  可撓性(電子)ディスプレイ
１１１  背糊
１１２  タッチセンサユニット
１１２０タッチセンサ
１１３  保護膜
１１２ａタッチセンサ
１１２１ガスバック
１１２２管路
１１２３気圧提供装置
１１２４圧力センサ
１３    制御ユニット
１３０  プロセッサ
１３１  表示インターフェイス
１３２  センサインターフェイス
１３３  Ｉ／Ｏインターフェイス
１３４  命令出力制御インターフェイス
１３５  メモリ
１３６  通信インターフェイス
１４    知覚入力ユニット
１４０  環境センサー
１４１  情報識別装置
１４０１センサマット
１４０２アームバンド
１５    アンテナモジュール
４０、４１、４２、４３  入力プラットフォーム
５      可動装置
５０    表皮ユニット
９０    ネットワーク環境
【図１】
2008149442.tif 000003
【図２】
2008149442.tif 000004
【図３】
2008149442.tif 000005
【図４】
2008149442.tif 000006
【図５】
2008149442.tif 000007
【図６】
2008149442.tif 000008
【図７】
2008149442.tif 000009
【図８】
2008149442.tif 000010
【図９】
2008149442.tif 000011
【図１０】
2008149442.tif 000012
【図１１】
2008149442.tif 000013
【図１２】
2008149442.tif 000014